【手続補正書】
【提出日】平成30年7月24日(2018.7.24)
【手続補正１】
【補正対象書類名】特許請求の範囲
【補正対象項目名】全文
【補正方法】変更
【補正の内容】
【特許請求の範囲】
【請求項１】
第１のデバイスを１つまたは複数のネットワークに接続することであって、前記第１のデバイスはユーザプロファイルに対して構成されることと、
前記第１のデバイス上のアプリケーションにおいて第１のタスクを作動させることであって、前記第１のデバイス上の前記アプリケーションは、第１のタスクコンテキストデータを含み、前記第１のタスクコンテキストデータは、少なくとも部分的に、最も近時のユーザ入力から構成されることと、
前記第１のタスクコンテキストデータを第１のユーザプロファイル更新として前記第１のデバイス上のデータストレージに保存することであって、前記データストレージはユーザプロファイルデータを記憶するように構成されることと、
第２のデバイスを前記１つまたは複数のネットワークに接続することであって、前記第２のデバイスは前記ユーザプロファイルに対して構成されることと、
複数の近時に閲覧したタスクのうちの少なくとも１つのタスクを前記第２のデバイス上に表示することであって、複数の閲覧されたタスクのうちの前記少なくとも１つのタスクが少なくとも前記第１のタスクを含むことと、
前記第２のデバイス上の前記第１のタスクを選択することと、
少なくとも部分的に、前記第１のタスクを前記選択することに基づいて、前記第２のデバイス上のアプリケーションを起動することと、
前記第２のデバイス上の前記アプリケーションにおいて前記第１のタスクを作動させることであって、前記第２のデバイス上の前記アプリケーションは前記第１のタスクコンテキストデータを含むことと、
第２のコンテキストデータを第２のユーザプロファイル更新として前記第２のデバイス上のデータストレージに保存することであって、前記第２のデバイス上の前記データストレージは、ユーザプロファイルデータを記憶するように構成されることと、
を含む、方法。
【請求項２】
前記第１のデバイス上の前記アプリケーションおよび前記第２のデバイス上の前記アプリケーションは同じアプリケーションである、請求項１に記載の方法。
【請求項３】
前記第１のデバイス上の前記アプリケーションはアプリケーションとして構成され、前記第２のデバイス上の前記アプリケーションはウェブブラウザとして構成される、請求項１に記載の方法。
【請求項４】
前記第１のデバイスは、オペレーティングシステムを用いて構成され、前記第２のデバイスは、前記オペレーティングシステムを用いて構成される、請求項１に記載の方法。
【請求項５】
前記第１のデバイスは、第１のオペレーティングシステムにおいて構成され、前記第２のデバイスは、第２のオペレーティングシステムにおいて構成され、前記第２のオペレーティングシステムは前記第１のオペレーティングと異なる、請求項１に記載の方法。
【請求項６】
前記１つまたは複数のネットワークは、少なくとも分散型サービスプラットフォームから構成される、請求項１〜４のいずれか１項に記載の方法。
【請求項７】
前記分散型サービスプラットフォームは、
基準ユーザプロファイルと、
前記ユーザプロファイルに対して構成された複数のデバイスのうちの少なくとも１つから、前記ユーザプロファイルデータを送受信するように構成される、クロスデバイスアクティビティモジュールと、
から構成される、請求項６に記載の方法。
【請求項８】
前記１つまたは複数のネットワークは、少なくとも近接通信ネットワークアーキテクチャから構成される、請求項１〜４のいずれか１項に記載の方法。
【請求項９】
複数の近時に閲覧したタスクのうちの少なくとも１つを前記表示することは、表示アプリケーション固有のデータをさらに含み、前記アプリケーション固有のデータは、少なくとも部分的に、前記第１のデバイス上のアプリケーションにおいて第１のタスクを作動させることに基づき、
アプリケーションが提案したユーザアクションと、
アプリケーションプロモーションと、
のうちの少なくとも１つを含む、請求項１に記載の方法。
【請求項１０】
前記第１のデバイス上のアプリケーションにおいて前記第１のタスクを前記作動させることは、前記第２のデバイス上のアプリケーションにおいて前記第１のタスクを作動させることと同時に生じる、請求項１に記載の方法。
【請求項１１】
前記第１のデバイス上のアプリケーションにおいて前記第１のタスクを前記作動させることは、前記第２のデバイス上のアプリケーションにおいて前記第１のタスクを作動させることと連続して生じる、請求項１に記載の方法。
【請求項１２】
第１のデバイスおよび第２のデバイスを、分散型サービスプラットフォームの基準ユーザプロファイルに対して構成することと、
前記第１のデバイス上のアプリケーションにおいて第１のタスクを作動させることであって、前記第１のデバイス上の前記アプリケーションは、第１のタスクコンテキストデータを含み、前記第１のタスクコンテキストデータは、少なくとも部分的に、最も近時のユーザ入力から構成されることと、
前記第１のタスクコンテキストデータを前記第１のデバイス上のデータストレージの第１のユーザプロファイルに保存することと、
第２のデバイスを前記１つまたは複数のネットワークに接続することであって、前記第２のデバイスは前記ユーザプロファイルに対して構成されることと、
ネットワーク接続を介して、前記分散型サービスプラットフォームの前記基準ユーザプロファイルに前記第１のデバイスを接続することと、
前記第１のユーザプロファイルの更新を、前記基準ユーザプロファイルに送信することと、
前記第１のユーザプロファイルと、前記基準ユーザプロファイルとが同一のデータを含むように、前記基準ユーザプロファイルを更新することと、
前記ネットワーク接続を介して、前記分散型サービスプラットフォームの前記基準ユーザプロファイルに前記第２のデバイスを接続することと、
前記基準ユーザプロファイルを、前記第２のデバイス上のデータストレージの第２のユーザプロファイルに送信することと、
前記第２のユーザプロファイルと、前記基準ユーザプロファイルとが同一のデータを含むように、前記第２のユーザプロファイルを更新することと、
複数の近時に閲覧したタスクのうちの少なくとも１つを前記第２のデバイス上に表示することであって、前記複数の近似に閲覧したタスクが少なくとも前記第１のタスクを含むことと、
前記第２のデバイス上の前記第１のタスクを選択することと、
少なくとも部分的に、前記第１のタスクを前記選択することに基づいて、前記第２のデバイス上のアプリケーションを起動することと、
前記第２のデバイス上の前記アプリケーションにおいて前記第１のタスクコンテキストデータを作動させることと、
少なくとも前記第２のデバイスのけるユーザ入力に部分的に基づいて、前記第２のユーザプロファイルを更新することと、
を含む、方法。
【請求項１３】
前記第２のデバイス上に複数の近時に閲覧したタスクのうちの少なくとも１つを前記表示することは、ランキング構造で構成され、前記ランキング構造は、前記複数の近時に閲覧したタスクそれぞれがユーザにより最後に閲覧された時間に少なくとも基づく、請求項１２に記載の方法。
【請求項１４】
前記ランキング構造は、
ユーザプリファレンス、
アプリケーション使用頻度、
アプリケーション閲覧持続時間、
ウェブサイト使用頻度、
ウェブサイト閲覧持続時間、
アプリケーションユーザが提案したアクション、または
アプリケーションプロモーション、
のうちの少なくとも１つに基づく、請求項１３に記載の方法。
【請求項１５】
第３のデバイスをユーザプロファイルに対して構成することと、
近接通信ネットワーク接続を介して、前記第２のデバイスおよび前記第３のデバイスを近接通信ネットワークに接続することと、
前記第２のユーザプロファイルの更新を、前記近接通信ネットワーク接続を介して、前記第２のデバイスから前記第３のデバイスへ送信することと、
前記第２のデバイス上の前記ユーザプロファイルと、前記第３のデバイス上の前記ユーザプロファイルとが同一のデータを含むように、前記第３のデバイス上の前記ユーザプロファイルを更新することと、
複数の近時に閲覧したタスクのうちの少なくとも１つを前記第３のデバイス上に表示することであって、前記複数の近似に閲覧されたタスクのうちの少なくとも１つが前記第１のタスクを含むことと、
前記第３のデバイス上の前記第１のタスクを選択することと、
少なくとも部分的に、前記第１のタスクを前記選択することに基づいて、前記第３のデバイス上のアプリケーションを起動することと、
前記第３のデバイス上の前記アプリケーションにおいて前記第１のタスクコンテキストデータを作動させることと、
前記第３のデバイス上の前記ユーザプロファイルを更新することと、をさらに含む請求項１２に記載の方法。
【請求項１６】
前記第２のデバイス上で前記第１のタスクを完了させることと、
タスク完了信号を、前記基準ユーザプロファイルおよび前記第１のデバイス上の前記ユーザプロファイルに送信することと、
前記タスク完了信号の受信に応答して、前記基準ユーザプロファイル、前記第１のデバイス上の前記ユーザプロファイルおよび前記第２のデバイス上の前記ユーザプロファイルから前記タスクを削除することと、
前記基準ユーザプロファイル、前記第１のデバイス上の前記ユーザプロファイルおよび前記第２のデバイス上の前記ユーザプロファイルを更新することと、をさらに含む請求項１２に記載の方法。
【請求項１７】
コンピュータ実行可能命令を有するコンピュータ可読記憶装置であって、前記コンピュータ実行可能命令は、実行に応答して、
ユーザプロファイル内の複数のアプリケーションにおける複数のタスクを特定することであって、前記ユーザプロファイルはユーザプロファイルデータから構成されることと、
前記複数のタスクの各々が前記デバイス上でユーザによって最後に閲覧された時点を特定することと、
前記複数のタスクの各々が前記ユーザによって最後に閲覧された前記時点に少なくとも部分的に基づいて、前記複数のアプリケーションにおける前記複数のタスクをランク付けすることと、
前記ランキングに少なくとも部分的に基づいて、前記複数のタスクのうちの少なくとも１つを表示のために提供することと、
前記表示される複数のタスクからの特定のタスクの選択を受信することと、
前記特定のタスクを変更することと、
前記特定のタスクのためのタスクコンテキストデータをデータストレージに保存することであって、前記タスクコンテキストデータは、少なくとも、前記特定のタスクの前記変更を含むことと、
前記特定のタスクの前記タスクコンテキストデータを用いて前記ユーザプロファイルデータを更新することと、
を含む動作を行うようにデバイスを構成する、コンピュータ可読記憶装置。
【請求項１８】
前記動作は、
前記デバイスを分散型サービスプラットフォームに接続することであって、前記分散型サービスプラットフォームは、少なくとも、
基準ユーザプロファイルデータを記憶するように構成された基準ユーザプロファイルと、
クロスデバイスアクティビティモジュールと、
を含むことと、
前記基準ユーザプロファイルおよび前記ユーザプロファイルが同じデータを含むように前記ユーザプロファイルデータを用いて前記基準ユーザプロファイルデータを更新するために、前記デバイスから前記基準ユーザプロファイルに前記ユーザプロファイルデータを送信することと、
をさらに含む、請求項１７に記載のコンピュータ可読記憶装置。
【請求項１９】
前記動作は、
第２のデバイスを前記分散型サービスプラットフォームに接続することであって、前記第２のデバイスは前記基準ユーザプロファイルに対して構成され、第２のデータストレージ内に第２のユーザプロファイルを含み、前記第２のユーザプロファイルはユーザプロファイルデータを記憶するように構成されることと、
前記基準ユーザプロファイルデータを前記第２のユーザプロファイルに送信することと、
前記第２のユーザプロファイルデータが少なくとも前記特定のタスクのための前記タスクコンテキストデータを含むように、前記基準ユーザプロファイルデータを用いて前記第２のユーザプロファイルデータを更新することと、
をさらに含む、請求項１７に記載のコンピュータ可読記憶装置。
【請求項２０】
前記動作は、
近接通信ネットワーク内の第２のデバイスに前記デバイスを接続することと、
前記デバイスから前記第２のデバイス内のデータストレージに前記ユーザプロファイルデータを送信することと、
前記第２のデバイス上の第２のユーザプロファイルデータを、前記デバイスからの前記ユーザプロファイルデータを用いて更新することと、
をさらに含む、請求項１７に記載のコンピュータ可読記憶装置。